(57)【要約】【課題】同じ記録媒体に続けて録画する場合であって、２つの録画予約の時間帯の一部が重複する場合（先の録画の終了時間と後の録画の開始時間が同一の場合を含む）でも、途切れることなく録画することによりユーザに高い満足感を与える映像音声記録装置を提供することである。【解決手段】録画終了時にデータ保存処理を必要とする映像音声記録装置おいて、続き録画モードでは、同じ記録媒体に続けて録画する場合であって、２つの録画予約の時間帯の一部が重複する場合、先の録画と後の録画とを途切れることなく録画し続ける構成とする。【選択図】図１
2007312147.tif 000002
【特許請求の範囲】
【請求項１】
録画終了時にデータ保存処理を必要とする光ディスク装置において、
続き録画モードでは、同じ光ディスクに続けて録画する場合であって、２つの録画予約の時間帯の一部が重複し、且つ録画するチャンネルが異なる場合、先の録画の終了時刻になると、後の録画のチャンネルに切り替えて後の録画を途切れることなく録画し続けることを特徴とする光ディスク装置。
【請求項２】
録画終了時にデータ保存処理を必要とする映像音声記録装置おいて、
続き録画モードでは、同じ記録媒体に続けて録画する場合であって、２つの録画予約の時間帯の一部が重複する場合、先の録画と後の録画とを途切れることなく録画し続けることを特徴とする映像音声記録装置。
【請求項３】
先の録画のチャンネルと後の録画のチャンネルとが異なる場合、チャンネルのみを切り替えることを特徴とする請求項２記載の映像音声記録装置。
【請求項４】
先の録画の終了時刻になると後の録画を開始することを特徴とする請求項２又は３記載の映像音声記録装置。
【発明の詳細な説明】
【技術分野】
【０００１】
本発明は、録画終了時にデータ保存処理を必要とする映像音声記録装置に関する。
【背景技術】
【０００２】
家庭で番組の録画に用いられる映像音声記録装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置などがある。
【０００３】
これらの映像音声記録装置では、一般的に複数の録画予約が可能となっている。そのため、ユーザが無意識に複数の予約を入力すると、予約された時間帯が重複することがある。この場合、どのように録画予約を処理するかについて様々な提案がなされている。
【０００４】
例えば特許文献１には、少なくとも一部の放送時間帯が重複する同一チャンネルの複数の番組をＤＶＤ−Ｖｉｄｅｏ規格に準拠した１つのビデオタイトル情報として記録する番組記録装置が開示されている。
【０００５】
また特許文献２には、番組放送時間の重複を問わずに複数の番組の録画予約をＥＰＧ画面上などで受け付け、録画予約された複数の番組をその放送時間中に順次受信すべくチューナを制御し、各番組についてその一部分を録画装置に録画させる録画装置制御機能付き放送受信装置が開示されている。
【０００６】
また特許文献３には、１つ目の番組を第２のチューナが受信し、これを第２の記録再生部で記録し、２つ目の番組を第１のチューナが受信し、これを第１の記録再生部で記録し、第１の記録再生部は同時記録再生が可能であり、１つ目の番組の第２の記録再生部における記録が完了したら、２つ目の番組の先頭部分から再生を開始し、第２の記録再生部がこれを記録する番組信号記録再生装置が開示されている。これにより、２つの番組を第２の記録再生部で記録できる。
【特許文献１】特開２００４−２０７８７３号公報
【特許文献２】特開２００４−６４６３５号公報
【特許文献３】特開２００２−２９０８８５号公報
【発明の開示】
【発明が解決しようとする課題】
【０００７】
従来、同じ記録媒体に続けて録画する場合であって、２つの録画予約の時間帯の一部が重複する場合（先の録画の終了時間と後の録画の開始時間が同一の場合を含む）は、先の録画と後の録画との間に録画を一旦停止して、タイトルやチャプタなどの管理情報を作成するデータ保存処理を行うことになる。これには少なくとも数秒かかるので、その間は次の録画ができない。従って、番組の最後が録画できなかったり、番組の最初が録画できなかったりする。録画を一旦停止することは、その停止時間は改良されて短くなり得るが、データ保存処理をしなければならない限りなくすことはできない。
【０００８】
本発明は、同じ記録媒体に続けて録画する場合であって、２つの録画予約の時間帯の一部が重複する場合（先の録画の終了時間と後の録画の開始時間が同一の場合を含む）でも、途切れることなく録画することによりユーザに高い満足感を与える映像音声記録装置を提供することを目的とする。
【課題を解決するための手段】
【０００９】
上記目的を達成するために本発明は、録画終了時にデータ保存処理を必要とする映像音声記録装置おいて、
続き録画モードでは、同じ記録媒体に続けて録画する場合であって、２つの録画予約の時間帯の一部が重複する場合、先の録画と後の録画とを途切れることなく録画し続けることを特徴とする。
【００１０】
本発明によると、先の録画と後の録画との間にデータ保存処理をしないので、予約した番組を最初から最後まで途切れることなくきっちりと録画することができる。
【００１１】
また上記の映像音声記録装置において、先の録画のチャンネルと後の録画のチャンネルとが異なる場合は、チャンネルのみを切り替えることとする。これにより、先の録画と後の録画とを途切れることなく録画し続けることができる。
【００１２】
また上記の映像音声記録装置において、先の録画の終了時刻になると後の録画を開始する仕様とすれば、使い勝手がよい。
【００１３】
本発明を具体化すると、録画終了時にデータ保存処理を必要とする光ディスク装置において、
続き録画モードでは、同じ光ディスクに続けて録画する場合であって、２つの録画予約の時間帯の一部が重複し、且つ録画するチャンネルが異なる場合、先の録画の終了時刻になると、後の録画のチャンネルに切り替えて後の録画を途切れることなく録画し続ける構成となる。
【発明の効果】
【００１４】
本発明によれば、続き録画モードをＯＮにすることにより、２つの録画予約の時間帯の一部が重複する場合でも途切れることなく録画するので、番組を最初から最後まできっちりと録画することができ、ユーザに高い満足感を与えられる。
【発明を実施するための最良の形態】
【００１５】
以下、映像音声記録装置の一例として、光ディスク装置を用いて説明する。図１は、光ディスク装置１０の構成及びその周辺機器を示すブロック図である。光ディスク装置１０には、テレビ等の表示装置１１と、ケーブルテレビや衛星放送等のセットトップボックス又はビデオデッキ等の映像音声記録装置に代表される外部装置１２とが接続されている。また光ディスク装置１０は、リモコン１３によって操作可能である。以下では、光ディスクとしてＤＶＤを例に説明する。
【００１６】
光ディスク装置１０は、テレビ放送信号を受信するアンテナ１５と、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＤＶＤ記録再生部１９で再生された圧縮された画像データを伸長復号したりする画像音声圧縮伸長部１７と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、光ディスク装置１０の各部を制御する制御部２６とを備えている。
【００１７】
また、制御部２６は、光ディスクに続けて録画する場合であって、２つの録画予約の時間帯の一部が重複する場合、先の録画と後の録画とを途切れることなく録画し続ける続き録画モードの制御も行う。以下に続き録画モードについて説明する。
【００１８】
図２〜図４は、続き録画モードを設定する際の表示画面を示す図である。まず、リモコン１３や光ディスク装置１０の操作パネル（不図示）がユーザにより操作されて録画予約されると、図２に示すように予約の日付と時間帯とチャンネルとを表示する。例えば図２では、１月１日の１０時〜１２時まで２チャンネルを録画する予約と、１月１日の１１時〜１３時まで４チャンネルを録画する予約とが登録された状態を示している。
【００１９】
ここで、上記の２つの録画予約の時間帯の一部が重複しており（１１時〜１２時）、ＤＶＤは１枚しか挿入できないので、重複している時間帯はどちらかの番組しか録画することはできない。録画予約の時間帯が重複していることをユーザに知らせるため、図２では後の録画予約（１月１日の１１時〜１３時まで４チャンネル）を目立つ色（例えば青色）で表示している。これによりユーザは録画予約の時間帯が重複していることに気付く。
【００２０】
そして、ユーザは重複した録画予約に対処するために、重複する後の録画予約にカーソルを合わせて決定キー（不図示）を押下する。これに応答して表示装置１１には図３に示すような画面が表示される。表示内容は、修正、削除、続き録画であり、ユーザは何れかにカーソルを合わせて決定キーを押下することにより、重複する後の録画予約の取り扱いを決定できる。修正を選択すると、後の録画予約の内容（日付や時間帯やチャンネル）を修正できる。また削除を選択すると、後の録画予約が削除される。また続き録画を選択すると、図４に示す画面が表示される。表示内容は、続き録画モードをＯＮにするかＯＦＦにするかの選択を促す内容である。ＯＮかＯＦＦの何れかが選択されると重複する録画予約が完了する。
【００２１】
なお、図４の画面の表示を省略して続き録画を常にＯＮとしてもよい。また、図３、図４の画面の表示を省略して常に続き録画を実行するようにしてもよい。
【００２２】
重複する録画予約が完了すると、光ディスク装置１０は予約した時刻になるまで待機状態となる。図５は、録画予約に従って録画する際の光ディスク装置１０の動作を示すフローチャートである。ステップＳ１０において何れかの録画予約の開始時刻になったか否かを判別する。何れかの録画予約の開始時刻になれば、ステップＳ１１へ進んでその録画を開始する。例えば図２の予約状況では、先の録画予約である１月１日の１０時になると２チャンネルの録画を開始する。
【００２３】
録画中にステップＳ１１からステップＳ１２へ進んで現在録画中の録画予約の終了時刻になったか否かを判別する。例えば図２の予約状況では、先の録画予約である１月１日の１２時になると録画予約の終了時刻であると判別する。
【００２４】
ステップＳ１２において終了時刻であると判別されれば、ステップＳ１３へ進んで、次の録画予約の開始時刻であるか否かを判別する。例えば図２の予約状況では、先の録画予約の終了時刻（１２時）が後の録画予約の開始時刻（１１時）よりも遅いので、ステップＳ１３では、後の録画予約の開始時刻であると判別する。このように、２つの録画予約の時間帯の一部が重複する場合（先の録画の終了時間と後の録画の開始時間が同一の場合を含む）は、ステップＳ１３で、後の録画予約の開始時刻であると判別する。
【００２５】
ステップＳ１３において、次の録画予約の開始時刻でない場合（次の録画予約がない場合や次の録画予約の開始時刻になっていない場合）は、ステップＳ１４へ進んで録画を停止し、更にステップＳ１５へ進んでデータ保存処理を行い、録画を終了する。ここでデータ保存処理とは、タイトルやチャプタなどの管理情報を作成する処理であり、少なくとも数秒はかかる。なお、データ保存処理を行うことによりタイトルが付けられるので、１つのデータとして扱うことができる。
【００２６】
一方、ステップＳ１３において、次の録画予約の開始時刻である場合は、ステップＳ１６へ進んで続き録画モードがＯＮであるか否かを判別する。続き録画モードのＯＮ／ＯＦＦの設定は図４に示したように重複する録画予約をした際に行われている。
【００２７】
ステップＳ１６において続き録画モードがＯＦＦの場合は、ステップＳ１７へ進んで従来の一般的な録画方法で処理される。ステップＳ１７では録画を停止し、ステップＳ１８へ進んでデータ保存処理を行い、録画を一旦終了する。その後、ステップＳ１１へ進んで、次の録画予約の録画を開始する。
【００２８】
このように、続き録画モードがＯＦＦの場合は、２つの録画予約の時間帯の一部が重複する場合に一旦録画を停止してデータ保存処理を行うので、先の録画と後の録画との間に録画ができない時間帯が存在する。例えば図２の予約状況では、先の録画予約の終了時刻（１２時）に録画を停止してデータ保存処理をすると、後の録画予約の実際の録画開始時刻は先の録画終了時刻（１２時）を過ぎた時刻となる。
【００２９】
これは、先の録画予約の終了時間と後の録画予約の開始時間が同一である場合に、より顕著に確認できる。例えば１０時〜１１時までの先の録画予約と、１１時〜１２時までの後の録画予約とが登録されている場合、１１時に先の録画を停止してデータ保存処理を行うと、後の録画予約の実際の録画開始時刻は１１時を過ぎてしまう。その結果、後の録画を再生した場合は番組の途中から始まることになる。また逆に、先の録画の終了を予約時刻よりも早めた場合は、後の録画は予約した時刻通りに開始することができるが、先の録画の最後が切れてしまう。
【００３０】
一方、ステップＳ１６において続き録画モードがＯＮの場合は、ステップＳ１９へ進んで、停止することなく続けて後の予約の録画を行う。その際、先の録画のチャンネルと後の録画のチャンネルとが異なる場合、チャンネルのみを切り替える。そしてステップＳ１２へ進んで終了時刻になると、ステップＳ１３へ進み、次の録画予約開始時刻になっていなければステップＳ１４へ進んで録画を停止し、更にステップＳ１５へ進んでデータ保存処理を行い、録画を終了する。なお、データ保存処理を行うことによりタイトルが付けられるが、ステップＳ１９において録画を続行しているので先の録画と後の録画が１つのデータになる。但し、１つのデータであってもチャプタで先の録画と後の録画とを区分けすることができるので、後の録画を再生する場合でも直ぐに頭出しすることができる。
【００３１】
このように、続き録画モードをＯＮにすると、２つの録画予約の時間帯の一部が重複する場合でも、途切れることなく録画することができる。従って、番組を最初から最後まできっちりと録画することができるので、ユーザに高い満足感を提供することができる。
【産業上の利用可能性】
【００３２】
本発明は、ＤＶＤ等の光ディスク装置やハードディスクレコーダなどの映像音声記録装置、又は複数の映像音声記録装置を１つの筐体に組み込んだ複合機、例えばハードディスクドライブ一体型光ディスク装置等に利用することができる。
【図面の簡単な説明】
【００３３】
【図１】光ディスク装置の構成及びその周辺機器を示すブロック図である。
【図２】続き録画モードを設定する際の表示画面を示す図である。
【図３】続き録画モードを設定する際の表示画面を示す図である。
【図４】続き録画モードを設定する際の表示画面を示す図である。
【図５】録画予約に従って録画する際の光ディスク装置の動作を示すフローチャートである。
【符号の説明】
【００３４】
１０    光ディスク装置（映像音声記録装置）
【図１】
2007312147.tif 000003
【図２】
2007312147.tif 000004
【図３】
2007312147.tif 000005
【図４】
2007312147.tif 000006
【図５】
2007312147.tif 000007